(57)【要約】  異なる波長の光を被測定物質に照射し、被測定物質に照射された後の各波長の光の相対強度に基づいて、被測定物質の特性を測定する物質特性測定装置において、スペクトルの半値幅が極狭の光でなくてもでも高精度の測定を行なえるようにする。  異なるｎ個の波長の光を被測定物質に照射する光源照射部と、被測定物質に照射された後の各波長の光の強度を検出する検出部と、行および列のそれぞれがｎ次以下の行列で表わされる補正係数を用いて、検出された各波長の少なくとも一部の波長の光の強度を補正し、補正後の各波長の光の相対強度に基づいて被測定物質の特性を示す指標値を算出する演算処理部とを備えたことを特徴とする物質特性測定装置。
2013147038.tif 000002
【特許請求の範囲】
【請求項１】
異なるｎ個の波長の光を被測定物質に照射する光源照射部と、
前記被測定物質に照射された後の各波長の光の強度を検出する検出部と、
行および列のそれぞれがｎ次以下の行列で表わされる補正係数を用いて、検出された各波長の少なくとも一部の波長の光の強度を補正し、補正後の各波長の光の相対強度に基づいて前記被測定物質の特性を示す指標値を算出する演算処理部と、
を備えたことを特徴とする物質特性測定装置。
【請求項２】
異なるｎ個の波長の光を被測定物質に照射する光源照射部と、
前記被測定物質に照射された後の各波長の光の強度を検出する検出部と、
ｎ次の正方行列で表わされる補正係数を用いて、検出された各波長の光の強度を補正し、補正後の各波長の光の相対強度に基づいて前記被測定物質の特性を示す指標値を算出する演算処理部と、
を備えたことを特徴とする物質特性測定装置。
【請求項３】
前記演算処理部は、前記指標値を算出すると、さらに、前記指標値と特性値とを対応付けた検量線を参照して前記指標値を特性値に変換し、
前記補正係数は、複数種の被測定物質について、検量線の一致度が所定基準を満たすように定められていることを特徴とする請求項１または２に記載の物質特性測定装置。
【請求項４】
前記光源照射部は、各波長の光を発光するｎ個のＬＥＤ（Light Emitting Diode）を備えていることを特徴とする請求項１〜３のいずれかに記載の物質特性測定装置。
【請求項５】
前記光源照射部は、前記ｎ個のＬＥＤをそれぞれ異なる周波数で変調して駆動し、
前記検出部は、周波数変調された信号から特定の周波数の信号を検出する周波数弁別器を備えていることを特徴とする請求項４に記載の物質特性測定装置。
【請求項６】
前記光源照射部は、
前記ＬＥＤの光を反射、拡散して同時に前記被測定物質に照射することを特徴とする請求項４または５に記載の物質特性測定装置。
【請求項７】
前記被測定物質は紙であり、
前記特性は水分率であり、
前記異なるｎ個の波長の光は、３波長以上であり、水分に吸収される波長の光と、セルロースに吸収される波長の光と、水分およびセルロースのいずれにも吸収されにくい波長の光とを含んでいることを特徴とする請求項１〜６のいずれか１項に記載の物質特性測定装置。
【発明の詳細な説明】
【技術分野】
【０００１】
本発明は、異なる波長の光を被測定物質に照射し、被測定物質に照射された後の各波長の光の相対強度に基づいて、被測定物質の特性を測定する物質特性測定装置に関し、特に、スペクトルの半値幅が極狭の光でなくても高精度の測定を行なえる物質特性測定装置に関する。
【背景技術】
【０００２】
連続的に紙を製造する抄紙工程において水分率の制御が重要である。このため、抄紙ラインを移動する紙の水分率を、オンラインで測定する水分測定装置が必要とされている。水分測定装置には、いくつかの方式が実用化されているが、オンラインで使用される水分測定装置としては、近赤外線を利用した赤外線水分測定装置が広く用いられている。【０００３】
赤外線水分測定装置では、水分に吸収され、紙の主成分であるセルロースに吸収されない波長の光と、水分に吸収されず、セルロースに吸収される波長の光を測定対象の紙に透過させる。そして、受光部で測定されるそれぞれの波長の強度比に基づいて紙中の水分率を算出する。このとき、紙の散乱や混合物、坪量、灰分、リグニング、着色料、コーティング等による影響を排除するために、水分にもセルロースにも吸収されない波長の光を参照光として用いることも行なわれている。【０００４】
図６は、従来の赤外線水分測定装置の構成を示すブロック図である。本図に示すように、従来の赤外線水分測定装置４０では、光源として、スペクトラムが連続的でブロードなハロゲンランプ４１０が一般に用いられている。ハロゲンランプ４１０からの光は、投光レンズ４１１を介して、フィルタホイール４２０に装着されたバンドパスフィルタ４２１に導かれる。【０００５】
本図の例では、水分、セルロースともに吸収されない波長λａの参照光を透過させるバンドパスフィルタ４２１ａと、水分に吸収され、セルロースに吸収されない波長λｂの光を透過させるバンドバスフィルタ４２１ｂと、セルロースに吸収され、水分に吸収されない波長λｃの光を透過させるバンドパスフィルタ４２１ｃの３種類をフィルタホイール４２０に装着しているが、参照光を複数波長とするために４種類以上のバンドパスフィルタ４２１を用いる場合もある。【０００６】
各波長の光は、フィルタホイール４２０の回転にしたがって、順次出力される。ここでは、破線矩形枠Ａに示すように、時刻ｔ１に波長λａの光が出力され、時刻ｔ２に波長λｂの光が出力され、時刻ｔ３に波長λｃの光が出力されるものとする。他の波長成分を含むことによる測定精度の低下を招かないように、各バンドパスフィルタ４２１は、出力する光のスペクトラムの半値幅が極狭になるような仕様が求められる。【０００７】
バンドパスフィルタ４２１を透過した光は、測定対象の紙７００に当てられるが、本例の赤外線水分測定装置４０では、感度を高めるために、紙７００を、入射孔が設けられた上部反射鏡４３１と出射孔が設けられた下部反射鏡４３２とで挟んで、抄紙ライン上を移動する紙７００の中を光が何度も通過するようにしている。【０００８】
下部反射鏡４３２の出射孔から抜け出た光はＰｂＳセル等の受光素子４４０で検出され、検出信号がアンプ４４１で増幅される。増幅された検出信号は、破線矩形枠Ｂに示すように、各バンドパスフィルタ４２１からの出力時刻に対応した時系列で得られる。すなわち、時刻ｔ１に得られた信号Ｖａは、波長λａの光の強度に対応し、時刻ｔ２に得られた信号Ｖｂは、波長λｂの光の強度に対応し、時刻ｔ３に得られた信号Ｖｃは、波長λｃの光の強度に対応する。【０００９】
増幅された検出信号は、演算処理部４５０に入力され、指標値算出部４５１において、各波長に対応した検出信号の強度比に基づいて指標値が算出される。そして、水分率算出部４５２が、あらかじめ用意された検量線４５３を参照して、指標値を水分率に変換して出力する。検量線４５３は、電子天秤等で測定した正確な水分率と赤外線水分測定装置４０で得られた指標値とを対応付けたデータである。
【先行技術文献】
【特許文献】
【００１０】
【特許文献１】日本国特開平５−１１８９８４号公報
【発明の概要】
【発明が解決しようとする課題】
【００１１】
上述のように従来の赤外線水分測定装置４０では、水分、セルロースともに吸収されない波長λａの参照光と、水分に吸収され、セルロースに吸収されない波長λｂの光と、セルロースに吸収され、水分に吸収されない波長λｃの光を用いて、それぞれの光の透過強度を測定することで水分率の測定を行なっている。【００１２】
図７は、横軸に波長、縦軸に透過強度を表わした図であり、同じ紙における水分率５％と、水分率１５％の波長毎の吸収特性を示している。本来、水分率による特性の差は、水分にだけ吸収される波長λｂにおいてのみ差Ｄｂとして表われるのが理想であるが、実際は、波長λａ、波長λｃとも、差Ｄａ、差Ｄｃが生じており、水分の影響を受けていることが分かる。【００１３】
このため、測定された強度比をそのまま用いて指標値を算出し、水分率に変換しても、無視できない誤差が生じるおそれがある。【００１４】
また、測定に用いる光のスペクトラムの半値幅が広いと、他の波長成分を含むことになり、検量線の紙種銘柄毎のばらつき具合が大きくなることが分かっている。紙種銘柄毎に検量線を用意するのは現実的でなく、検量線の紙種銘柄毎のばらつきによる測定精度の低下を招かないように、従来は各波長のスペクトラムの半値幅が極狭になるようなバンドパスフィルタ４２１が用いられているが、このようなバンドパスフィルタ４２１は、光量の減衰が大きい。このため、厚い紙まで測定可能とするためには、大出力のハロゲンランプ４１０を用いなければならず、冷却機構、電源等による装置の大型化や高価格化を招来する。【００１５】
仮に、スペクトルの半値幅の広い光で高精度の測定を行なうことができれば、それぞれの波長に対応したＬＥＤ（Light Emitting Diode）を光源として用いることができるようになる。ＬＥＤは、スペクトルの半値幅は広いが、ハロゲンランプと比較してメンテナンスが容易であり寿命も長く、低消費電力、安価のため、利点が大きい。また、必要な波長で発光させることでバンドパスフィルタ４２１を省くことができるようになり、フィルタホイール４２０のような機械的な可動部の摩耗や故障のリスクを無くすことができる。【００１６】
さらに、スペクトルの半値幅の広い光で高精度の測定を行なうことができれば、光源としてハロゲンランプ４１０を用いた場合でも、バンドパスフィルタ４２１に要求される半値幅に関する仕様を低下させることができるため、光量の減衰量が少なくなり、装置の大型化や高価格化を防ぐことができる。【００１７】
そこで、本発明は、異なる波長の光を被測定物質に照射し、被測定物質に照射された後の各波長の光の相対強度に基づいて、被測定物質の特性を測定する物質特性測定装置において、スペクトルの半値幅が極狭の光でなくても高精度の測定を行なえるようにすることを目的とする。
【課題を解決するための手段】
【００１８】
上記課題を解決するため、本発明の物質特性測定装置は、異なるｎ個の波長の光を被測定物質に照射する光源照射部と、前記被測定物質に照射された後の各波長の光の強度を検出する検出部と、ｎ次の正方行列で表わされる補正係数を用いて、検出された各波長の光の強度を補正し、補正後の各波長の光の相対強度に基づいて前記被測定物質の特性を示す指標値を算出する演算処理部と、
を備えたことを特徴とする。
ここで、前記演算処理部は、前記指標値を算出すると、さらに、前記指標値と特性値とを対応付けた検量線を参照して前記指標値を特性値に変換し、前記補正係数は、複数種の被測定物質について、検量線の一致度が所定基準を満たすように定めることができる。
また、前記光源照射部は、各波長の光を発光するｎ個のＬＥＤ（Light Emitting Diode）を備えることができる。
このとき、前記光源照射部は、前記ｎ個のＬＥＤをそれぞれ異なる周波数で変調して駆動し、前記検出部は、周波数変調された信号から特定の周波数の信号を検出する周波数弁別器を備えることができる。
また、前記光源照射部は、前記ＬＥＤの光を反射、拡散して同時に前記被測定物質に照射することができる。
いずれの場合も、前記被測定物質は紙であり、前記特性は水分率であり、前記異なるｎ個の波長の光は、３波長以上であり、水分に吸収される波長の光と、セルロースに吸収される波長の光と、水分およびセルロースのいずれにも吸収されにくい波長の光とを含むことができる。
【発明の効果】
【００１９】
本発明によれば、異なる波長の光を被測定物質に照射し、被測定物質に照射された後の各波長の光の相対強度に基づいて、被測定物質の特性を測定する物質特性測定装置において、スペクトルの半値幅が極狭の光でなくても高精度の測定を行なえるようになる。
【図面の簡単な説明】
【００２０】
【図１】本実施形態に係る赤外線水分測定装置の構成を示すブロック図である。
【図２】補正係数と検量線の決定手順について説明するフローチャートである。
【図３】検量線の例を示す図である。
【図４】赤外線水分測定装置の測定手順について説明するフローチャートである。
【図５】本実施形態に係る赤外線水分測定装置の別構成を示すブロック図である。
【図６】従来の赤外線水分測定装置の構成を示すブロック図である。
【図７】同じ紙における水分率５％と、水分率１５％の波長毎の吸収特性を示す図である。
【発明を実施するための形態】
【００２１】
本発明の実施の形態について図面を参照して説明する。本実施形態では、本発明の物質特性測定装置を、赤外線を利用して紙中の水分率を測定する赤外線水分測定装置に適用した場合について説明する。
【００２２】
図１は、本実施形態に係る赤外線水分測定装置の構成を示すブロック図である。本図に示すように、赤外線水分測定装置１０は、波長λａ、波長λｂ、波長λｃで発光する３つのＬＥＤを搭載したＬＥＤユニット１１０を光源として用いている。ＬＥＤユニット１１０には冷却機能を備えることが望ましい。本実施形態では、ＬＥＤを光源とすることで、光源や冷却装置の小型化が可能となっている。一般に、オンライン測定装置では、複数センサを測定ヘッドに同時搭載するため、装置の小型化は有効である。
【００２３】
波長λａは、水分、セルロースともに吸収されない波長であり、例えば、１．７μｍとすることができる。波長λｂは、水分に吸収され、セルロースに吸収されない波長であり、例えば、１．９μｍとすることができる。波長λｃは、セルロースに吸収され、水分に吸収されない波長であり、例えば、２．１μｍとすることができる。
【００２４】
ＬＥＤユニット１１０に搭載されたＬＥＤは、ＬＥＤ駆動部１２０にドライブされて発光する。このとき、ＬＥＤは電気的変調が可能であることから、ＬＥＤ駆動部１２０は変調部１２１を備えており、それぞれのＬＥＤを、異なる周波数で変調して発光させる。変調周波数は、例えば、数ｋＨｚ程度とすることができる。ＬＥＤを変調発光させる理由は、後段の各波長の信号検出時において、雑音の少ない周波数帯域で信号を検出するためである。また、ＬＥＤを変調発光させることにより、オンライン測定時に、高温状態の紙７００が発生する近赤外線の影響も受けにくくなり、測定精度の向上が期待される。
【００２５】
図１の破線矩形枠Ａに示すように、ＬＥＤユニット１１０が出射するそれぞれの波長の光は、従来のバンドパスフィルタを通した光と比較して半値幅が広くなっているが、フィルタホイールを用いていないため、時刻ｔ０において同時に発光させ、紙７００に同時に照射することができる。このため、紙７００が抄紙ライン上で移動している場合であっても、各波長の光を同一の地点に当てて測定することが可能となる。従来は、各波長の光を順次照射していたため、各波長の光が紙７００の異なる地点に当たっていたのに対して、測定むらの改善が期待される。また、機械的な可動部であるフィルタホイールを用いていないため、装置の小型化に加え、摩耗や故障のリスクを無くすことができ、信頼性、耐久性、保守性が向上する。
【００２６】
ＬＥＤユニット１１０から出射されたそれぞれの波長の光は、発光位置が異なるため、空間ユニフォーミティーが乱れている。そこで、ＬＥＤユニット１１０の直近に、内面を高反射率の反射材で囲った多角形のチューブリフレクタ１３０を配置している。チューブリフレクタ１３０に代えて、ライトパイプを用いてもよい。チューブリフレクタ１３０、ライトパイプともに角柱または出口方向に広がった角錐の形状が好ましい。これにより、各波長の光を適切に混色し、空間ユニフォーミティーの揃った光を高効率で測定対象の紙７００に導くことが可能となる。
【００２７】
本図の例では、さらに効果を高めるために、チューブリフレクタ１３０の出口付近に拡散シート１３１を設けているが、紙厚等の測定対象物の性質に応じて、拡散シート１３１を省いたり、拡散シート１３１の拡散強度を調整したりすることができる。
【００２８】
チューブリフレクタ１３０の先には、入射孔が設けられた薄型の上部反射鏡１４１が、反射面を被測定物質の紙７００側に向けて配置されている。そして、出射孔が設けられたほぼ同形の下部反射鏡１４２が、光軸を合わせて対向配置されている。それぞれの反射鏡の被測定物質側には紙粉や水分の混入を防ぐための薄いガラスウィンドウ１４３、１４４が貼られている。以上のブロックは、光源照射部として機能する。
【００２９】
下部反射鏡１４２の出射孔から抜け出た光は、３つの波長に感度の高いフォトダイオード等の受光素子１５０で３つの波長が重畳した波形として検出される。検出信号が初段のアンプ１５１で増幅され、さらに周波数弁別器１５２に入力される。これらのブロックは、検出部として機能する。
【００３０】
周波数弁別器１５２は、周波数変調のなされた信号から原信号波を検出する装置であり、雑音の少ない周波数帯域で信号を検出することにより、ノイズに埋もれた微小信号の検出や、より高感度の信号検出を行なうことができる。これにより、高坪量の紙の測定精度も向上する。本実施形態では、ＬＥＤを周波数変調してドライブしているため、周波数弁別器１５２を用いて各波長の信号を精度よく検出することができる。
【００３１】
周波数弁別器１５２は、既知のものを用いることができ、例えば、ＦＦＴを用いて検出対象の周波数成分を抽出する方式や、特定の周波数の信号を検出して増幅させるロックインアンプを用いることができる。この場合、位相調整を必要としない２相構成とし、乗算器を２つ設けてそれぞれ９０度位相差のある信号を乗算してＸ成分とＹ成分とに分けて検出した後、ベクトル演算して入力信号の振幅値として求めるようにする。これに変調部１２１が施した変調信号を乗算することで、検出対象の信号の振幅が直流成分に変換されるので、ローパスフィルタを用いて不要な成分を取り除いて検出対象の波長に対応する信号を検出することができる。この構成を波長毎に３組設ければよい。そして、検出されたそれぞれの波長の光強度に対応する信号のゲインを調整し、出力する。光照射による測定と各波長の光強度に対応した信号の検出は、複数回繰り返すことが望ましい。
【００３２】
周波数弁別器１５２の出力は、演算処理部１６０に入力される。本図に示すように、演算処理部１６０はフィルタ部１６１、測定値補正部１６２、指標値算出部１６３、水分率算出部１６４を備えている。
【００３３】
フィルタ部１６１は、測定結果のばらつきを低減するために、移動平均等により、検出された各波長の光強度に対応した信号の平均化処理を行なう。
【００３４】
測定値補正部１６２は、各波長の光強度に対応した信号値を、補正係数１６５を用いて補正する。波長数が３つの場合、補正係数は、３×３の正方行列で表わすことができる。測定値補正部１６２は、補正前の各波長の光強度に対応した値（Ｖａ，Ｖｂ，Ｖｃ）を［数１］にしたがって補正を行ない、補正後の値（Ｖａ'，Ｖｂ'，Ｖｃ'）を得る。これにより、各波長の相互の影響を補正することができる。補正係数１６５の決定手順については後述する。
【数１】
2013147038.tif 000003
指標値算出部１６３は、補正後の信号値（Ｖａ'，Ｖｂ'，Ｖｃ'）の相対強度比に基づいて指標値を算出する。指標値の算出方法は、従来と同様とすることができる。
【００３５】
水分率算出部１６４は、あらかじめ作成された検量線１６６を参照して、指標値算出部１６３が算出した指標値を水分率に変換して出力する。
【００３６】
次に、補正係数１６５と検量線１６６の決定手順について図２のフローチャートを参照して説明する。この手順は、赤外線水分測定装置１０の出荷前において製造側が実行するものであり、原則的にユーザが行なう必要がない。このため、ユーザは、従来と同様の測定操作により精度の高い測定を行なうことが可能となる。
【００３７】
まず、複数種複数銘柄の紙を用意し、それぞれの紙について、水分率を変化させて赤外線水分測定装置１０で測定を行ない、補正前の各波長の光強度に対応した信号値（Ｖａ，Ｖｂ，Ｖｃ）を取得する（Ｓ１０１）。水分率は、電子天秤等を用いて正確な値を測定しておくものとする。
【００３８】
補正係数を決定するにあたり、補正係数の初期値を設定しておく（Ｓ１０２）。初期値は、例えば、［数２］に示すような補正を行なわないことと同値の３×３の基本行列とすることができる。
【数２】
2013147038.tif 000004
次に、設定された補正係数を用いて、種類銘柄毎に測定値信号（Ｖａ，Ｖｂ，Ｖｃ）を補正する（Ｓ１０３）。補正は、［数１］にしたがって行なうことができる。そして、補正後の信号値（Ｖａ'，Ｖｂ'，Ｖｃ'）の相対強度比に基づいて指標値を種類銘柄毎に算出する（Ｓ１０４）。
【００３９】
指標値は、水分率毎に算出されるため、算出された指標値を用いて、種類銘柄毎に検量線を作成する（Ｓ１０５）。図３（ａ）は、紙種Ａ、紙種Ｂ、紙種Ｃ、紙種Ｄ毎に作成した検量線の例を示している。本図は、補正係数が初期値で、各検量線のばらつきが大きい状態を示している。このような状態では、紙種銘柄毎に検量線を用意しなければならず、実用化には向かない。
【００４０】
種別銘柄毎の検量線を作成すると、各検量線の一致度を評価する（Ｓ１０６）。一致度の評価は、例えば、重回帰分析により１つの近似曲線を求め、近似曲線と各検量線との誤差の合計を算出することにより行なうことができる。
【００４１】
評価の結果、一致度があらかじめ定められた基準値未満であれば（Ｓ１０７：Ｎｏ）、補正係数を変更する（Ｓ１０８）。補正係数の変更アルゴリズムは、近傍探索法、モンテカルロ法等任意の手法を用いることができる。そして、変更された補正係数を用いて測定値補正（Ｓ１０３）以降の処理を繰り返し、各検量線の一致度の評価を行なう。
【００４２】
評価の結果、一致度が基準値以上であれば（Ｓ１０７：Ｙｅｓ）、そのとき設定されている値を補正係数として決定する（Ｓ１０９）。図３（ｂ）は、各検量線の一致度が基準値を超えた状態を示している。
【００４３】
補正係数を決定すると、実際の測定に用いる検量線を決定する（Ｓ１１０）。実際の測定に用いる検量線は、例えば、決定した補正係数で得られた紙種銘柄毎の検量線に対する重回帰分析により求めた近似曲線とすることができる。図３（ｃ）は、決定した補正係数で得られた紙種銘柄毎の検量線から求められた検量線を示している。この検量線１６６を用いることにより、紙種銘柄毎の検量線は不要となる。
【００４４】
以上の手順にしたがって、補正係数と検量線とを決定すると、補正係数１６５、検量線１６６として演算処理部１６０内の記憶領域に記録する。
【００４５】
次に、赤外線水分測定装置１０の水分率計測手順について図４のフローチャートを参照して説明する。すでに上記図２の手順により、補正係数１６５と検量線１６６とが決定されて、演算処理部１６０内の記憶領域に記録されているものとする。
【００４６】
まず、ＬＥＤユニット１１０からの各波長が混在した光を紙７００に照射し、受光素子１５０で検出した後、周波数弁別器１５２で波長毎の信号値を得る測定処理を実行する（Ｓ２０１）。測定処理は複数回繰り返すことが望ましい。この場合、演算処理部１６０のフィルタ部１６１が測定結果を平均化する。
【００４７】
そして、演算処理部１６０の測定値補正部１６２が、補正係数１６５を参照して、測定結果の補正を行ない（Ｓ２０２）、指標値算出部１６３が、補正された測定結果に基づいて指標値の算出を行なう（Ｓ２０３）。指標値が算出されると、水分率算出部１６４が、検量線１６６を参照して、水分率に変換して出力する（Ｓ２０４）。
【００４８】
以上説明したように、本実施形態の赤外線水分測定装置１０によれば、波長相互の影響を補正可能な補正係数１６５を用いて測定結果を補正しているため、スペクトルの半値幅が極狭の光でなくてもでも高精度の測定結果を得ることができる。
【００４９】
なお、上記実施形態では、ＬＥＤユニット１１０を光源として用いていたが、従来同様にハロゲンランプ４１０を光源として用いる場合にも本発明を適用することができる。また、ＬＤ（Laser Diode）等を光源として用いることもできる。図５は、ハロゲンランプ４１０を用いた赤外線水分測定装置に本発明を適用した場合の構成を示すブロック図である。従来と同じブロックについては同じ符号を付して、説明を簡略化している。
【００５０】
ハロゲンランプ４１０を用いた赤外線水分測定装置２０では、ハロゲンランプ４１０からの光は、投光レンズ４１１を介して、フィルタホイール４２０に装着されたバンドパスフィルタ４２２に導かれる。
【００５１】
このとき、フィルタホイール４２０に装着するバンドパスフィルタ４２２は、出力する光のスペクトラムの半値幅が極狭である必要はない。このため、光量の減衰を小さくすることができ、高坪量の紙まで測定可能とする場合であっても、ハロゲンランプ４１０の大型化を回避することができる。
【００５２】
バンドパスフィルタ４２２を透過した光は、上部反射鏡４３１、下部反射鏡４３２に挟まれた測定対象の紙７００に当てられる。下部反射鏡４３２の出射孔から抜け出た光は受光素子４４０で検出され、検出信号がアンプ４４１で増幅される。ハロゲンランプ４１０は、電気的変調に適さないため、周波数弁別器は用いていない。
【００５３】
増幅された検出信号は、演算処理部１６０に入力され、測定値補正部１６２が、補正係数１６５を参照して補正する。なお、フィルタ部１６１を設けて、複数回の測定結果を平均化するようにしてもよい。次いで、指標値算出部１６３において、各波長に対応した検出信号の強度比に基づいて指標値が算出される。そして、水分率算出部１６４が、検量線１６６を参照して、指標値を水分率に変換して出力する。補正係数１６５、検量線１６６は、上述の手順によって決定されたものである。
【００５４】
以上、本発明の実施形態を説明したが、本発明は、上述の実施形態に限定されない。例えば、参照光の波長を増やして、異なる４波長以上の光を被測定物質である紙７００に照射するようにしてもよい。あるいは、セルロースに吸収される波長を除く２波長の光を被測定物質に照射して測定し、セルロース量については別の測定装置、例えば、坪量計等で測定した値を用いるようにしてもよい。この場合、波長の数に合わせて、補正係数の次数を設定する。例えば、４つの波長であれば、補正係数を４×４の正方行列とし、５つの波長であれば、補正係数を５×５の正方行列とすればよい。また、２つの波長であれば、補正係数を２×２の正方行列とすればよい。
【００５５】
また、補正係数の次数と波長の数は必ずしも同一である必要は無い。実施形態の説明では、３つの光源に全てＬＥＤを用いていて相互の波長域に重なりがあるため３×３の正方行列で補正をする事例を示したが、波長数ｎに対してｍ×ｍ（ｍはｎよりも小さい整数）の正方行列で補正を行うことも可能である。ｍ×ｍの正方行列による補正後のｎ個の波長の光の相対強度に基づいて指標値の算出を行う。この場合、ｎ×ｎの正方行列による補正係数を用いた場合と比較して改善効果の度合は劣ると考えられるが、補正による改善効果自体は得られることが見込まれる。
【００５６】
また、波長数ｎに対して、ｎ×ｎの正方行列から、補正が必要ない行あるいは列を省いた非正方行列を用いることも可能である。
たとえば、３つの光源のうちの１つにレーザダイオード（ＬＤ）を採用できるような場合である。ＬＥＤ同志は波長領域が重なり合うため、お互いの波長による影響を補正する必要がある。また、ＬＥＤの波長がＬＤの波長まで広がっている場合には、ＬＥＤの波長の検出光の強度に対してＬＤの波長による影響を補正する必要がある。一方、一般的にＬＤの半値幅は極狭のため、他のＬＥＤの波長による影響を受けない。したがって、ＬＥＤの波長の検出光の強度に対しては補正が必要だが、ＬＤの波長の検出光の強度に対しては補正が不要となるケースがある。このような場合に、ＬＤの波長の検出光の強度に対する補正に対応する行あるいは列をなくした非正方行列を補正係数として用いることが可能である。なお、ＬＤの波長を水分、セルロースともに吸収されない波長λaに設定すれば出力がそのまま被測定物質の透過率に相当することになり装置や測定値の管理が容易になるという利点もある。
【００５７】
また、相互補正を行なうことで、照射する光の波長を、厳密に管理する必要がなくなるため、通信等に用いられる安価な波長帯のＬＥＤを流用したり、長波長で透過率に優れた波長帯のＬＥＤを選択することも考えられる。また、透過型の赤外線水分測定装置について説明したが、反射型の赤外線水分測定装置や、マイクロ波を利用した水分測定装置に本発明を適用することも可能である。
【００５８】
さらに、測定結果から得られる指標値の算出方法や、検量線により変換される特性を変更することで、紙の表面性、透過散乱性、坪量、塗工量、灰分含有率等の特性を測定する装置に本発明を適用することも可能である。
【００５９】
本出願は、２０１２年３月２８日に提出された日本国特許出願（特願２０１２−０７３６５２）に基づくものであり、その内容はここに参照として取り込まれる。
【符号の説明】
【００６０】
１０…赤外線水分測定装置、２０…赤外線水分測定装置、４０…赤外線水分測定装置、１１０…ＬＥＤユニット、１２０…ＬＥＤ駆動部、１２１…変調部、１３０…チューブリフレクタ、１３１…拡散シート、１４１…上部反射鏡、１４２…下部反射鏡、１４３…ガラスウィンドウ、１５０…受光素子、１５１…アンプ、１５２…周波数弁別器、１６０…演算処理部、１６１…フィルタ部、１６２…測定値補正部、１６３…指標値算出部、１６４…水分率算出部、１６５…補正係数、１６６…検量線、４１０…ハロゲンランプ、４１１…投光レンズ、４２０…フィルタホイール、４２１…バンドパスフィルタ、４２１…各バンドパスフィルタ、４３１…上部反射鏡、４３２…下部反射鏡、４４０…受光素子、４４１…アンプ、４５０…演算処理部、４５１…指標値算出部、４５２…水分率算出部、４５３…検量線
【図１】
2013147038.tif 000005
【図２】
2013147038.tif 000006
【図３】
2013147038.tif 000007
【図４】
2013147038.tif 000008
【図５】
2013147038.tif 000009
【図６】
2013147038.tif 000010
【図７】
2013147038.tif 000011
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
異なるｎ個の波長の光を被測定物質に照射する光源照射部と、
前記被測定物質に照射された後の各波長の光の強度を検出する検出部と、
行および列のそれぞれがｎ次以下の行列で表わされる補正係数を用いて、検出された各波長の少なくとも一部の波長の光の強度を補正し、補正後の各波長の光の相対強度に基づいて前記被測定物質の特性を示す指標値を算出する演算処理部と、
を備え、
前記演算処理部は、前記指標値を算出すると、さらに、前記指標値と特性値とを対応付けた検量線を参照して前記指標値を特性値に変換し、
前記補正係数は、複数種の被測定物質について、検量線が所定基準を満たすように定められていることを特徴とする物質特性測定装置。
【請求項２】
異なるｎ個の波長の光を被測定物質に照射する光源照射部と、
前記被測定物質に照射された後の各波長の光の強度を検出する検出部と、
ｎ次の正方行列で表わされる補正係数を用いて、検出された各波長の光の強度を補正し、補正後の各波長の光の相対強度に基づいて前記被測定物質の特性を示す指標値を算出する演算処理部と、
を備え、
前記演算処理部は、前記指標値を算出すると、さらに、前記指標値と特性値とを対応付けた検量線を参照して前記指標値を特性値に変換し、
前記補正係数は、複数種の被測定物質について、検量線が所定基準を満たすように定められていることを特徴とする物質特性測定装置。
【請求項３】
前記光源照射部は、各波長の光を発光するｎ個のＬＥＤ（Ｌｉｇｈｔ  Ｅｍｉｔｔｉｎｇ  Ｄｉｏｄｅ）を備えていることを特徴とする請求項１または２に記載の物質特性測定装置。
【請求項４】
前記光源照射部は、前記ｎ個のＬＥＤをそれぞれ異なる周波数で変調して駆動し、
前記検出部は、周波数変調された信号から特定の周波数の信号を検出する周波数弁別器を備えていることを特徴とする請求項３に記載の物質特性測定装置。
【請求項５】
前記光源照射部は、
前記ＬＥＤの光を反射、拡散して同時に前記被測定物質に照射することを特徴とする請求項３または４に記載の物質特性測定装置。
【請求項６】
前記光源照射部は、
各波長の光の空間ユニフォーミティーを揃えるチューブリフレクタまたはライトパイプを備えることを特徴とする請求項１〜４のいずれか１項に記載の物質特性測定装置。
【請求項７】
前記被測定物質は紙であり、
前記特性は水分率であり、
前記異なるｎ個の波長の光は、３波長以上であり、水分に吸収される波長の光と、セルロースに吸収される波長の光と、水分およびセルロースのいずれにも吸収されにくい波長の光とを含んでいることを特徴とする請求項１〜６のいずれか１項に記載の物質特性測定装置。
【国際調査報告】
2013147038.tif 000012
2013147038.tif 000013